(57)【要約】【課題】グレースケール電圧の正負極性に反転が発生したことにより生じる表示画面の画素のグレースケールのオフセットの問題を解決する。【解決手段】本発明の実施例の共通電極電圧補償方法は、表示画面の各画素のためのグレースケールデータを統計する工程と、隣接する二行の画素の間のグレースケールオフセット率を算出し、グレースケールオフセット率に基づいて共通電極電圧補償信号パラメータを取得する工程と、画素電圧極性反転信号に基づいて共通電極電圧補償信号パラメータの正負極性情報を生成する工程と、共通電極電圧補償信号パラメータと共通電極電圧補償信号パラメータの正負極性に基づいて共通電極電圧補償制御信号を生成し、共通電極発生ユニットに共通電極電圧補償制御信号に基づいて補償電圧波形を有する共通電極入力電圧を生成させる工程と、を有する。【選択図】図１
2014071454.tif 000002
【特許請求の範囲】
【請求項１】
共通電極電圧補償方法であって、
表示画面の各画素のためのグレースケールデータを統計する工程と、
隣接する二行の前記画素の間のグレースケールオフセット率を算出し、前記グレースケールオフセット率に基づいて共通電極電圧補償信号パラメータを取得する工程と、
画素電圧極性反転信号に基づいて共通電極電圧補償信号パラメータの正負極性情報を生成する工程と、
前記共通電極電圧補償信号パラメータと前記共通電極電圧補償信号パラメータの正負極性に基づいて共通電極電圧補償制御信号を生成し、共通電極発生ユニットに共通電極電圧補償制御信号に基づいて補償電圧波形を有する共通電極入力電圧を生成させる工程と、を有する共通電極電圧補償方法。
【請求項２】
隣接する二行の前記画素の間のグレースケールオフセット率を算出する工程は、
各行の前記画素のグレースケールデータを累計して、各行の前記画素のグレースケールデータの和を取得する工程と、
隣接する二行の前記画素のグレースケールデータの和に基づいて、隣接する二行の前記画素のグレースケールオフセット率を算出する工程と、を有する請求項１に記載の共通電極電圧補償方法。
【請求項３】
前記隣接する二行の前記画素のグレースケールデータの和に基づいて、隣接する二行の前記画素のグレースケールオフセット率を算出する工程において、
二行ごとの前記画素のグレースケールデータの和の差の最大絶対値Ｎを計算し、ただしＮ＝（２ｎ―１）×ｊであり、ｊは表示画面における前記画素の列数であり、ｎは表示画面における色深度であり、
隣接する二行の前記画素のグレースケールデータの和の差Ａｉ＋１−Ａｉを計算し、ただし、ｉは前記画素の行番号であり、ｉ＝１，２，３，４・・・であり、
ＡｉとＡｉ＋１の正負性が同一か否かを判断し、
両者の正負性が同一である場合は，第ｉ行と第ｉ＋１行の前記画素のグレースケールオフセット率は
【数１】
2014071454.tif 000011
であり、両者の正負性が異なる場合は、第ｉ行と第ｉ＋１行の前記画素のグレースケールオフセット率は
【数２】
2014071454.tif 000012
である請求項２に記載の共通電極電圧補償方法。
【請求項４】
前記画素電圧極性反転信号に基づいて共通電極電圧補償信号パラメータの正負極性情報を生成する工程は、
前記画素電圧極性反転信号の波形が上昇傾向の波形である場合は、前記共通電極電圧補償信号パラメータの極性は負である工程と、
前記画素電圧極性反転信号の波形が下落傾向の波形である場合は、前記共通電極電圧補償信号パラメータの極性は正である工程と、を有する請求項１に記載の共通電極電圧補償方法。
【請求項５】
前記補償電圧波形は、三角波形、矩形波形、正弦波波形、指数波形のうちのいずれかである請求項１ないし４のいずれかに記載の共通電極電圧補償方法。
【請求項６】
シーケンスコントローラであって、
表示画面の各画素のためのグレースケールデータを統計するデータプロセッサと、
隣接する二行の前記画素の間のグレースケールオフセット率を算出し、前記グレースケールオフセット率に基づいて共通電極電圧補償信号パラメータを取得し、画素電圧極性反転信号に基づいて共通電極電圧補償信号パラメータの正負極性情報を生成する補償データ計算器と、
前記共通電極電圧補償信号パラメータと前記共通電極電圧補償信号パラメータの正負極性に基づいて共通電極電圧補償制御信号を生成し、共通電極発生ユニットに共通電極電圧補償制御信号に基づいて補償電圧波形を有する共通電極入力電圧を生成させる共通電極電圧補償信号ジェネレータと、を有するシーケンスコントローラ。
【請求項７】
前記補償データ計算器は、
各行の前記画素のグレースケールデータを累計して、各行の前記画素のグレースケールデータの和を取得し、
隣接する二行の前記画素のグレースケールデータの和に基づいて、隣接する二行の前記画素のグレースケールオフセット率を算出する請求項６に記載のシーケンスコントローラ。
【請求項８】
前記補償データ計算器は、
前記画素電圧極性反転信号の波形が上昇傾向の波形である場合は、前記共通電極電圧補償信号パラメータの極性は負であると判定し、
前記画素電圧極性反転信号の波形が下落傾向の波形である場合は、前記共通電極電圧補償信号パラメータの極性は正であると判定する請求項６に記載のシーケンスコントローラ。
【請求項９】
前記補償電圧波形は、三角波形、矩形波形、正弦波波形、指数波形のうちのいずれかであることを特徴とする請求項６ないし８のいずれかに記載のシーケンスコントローラ。
【請求項１０】
共通電極電圧補償装置であって、シーケンスコントローラと、共通電極電圧発生ユニットと、を有し、
前記シーケンスコントローラは、表示画面の各画素のためのグレースケールデータを統計し、隣接する二行の前記画素の間のグレースケールオフセット率を算出し、前記グレースケールオフセット率に基づいて共通電極電圧補償信号パラメータを取得し、画素電圧極性反転信号に基づいて共通電極電圧補償信号パラメータの正負極性情報を生成し、そして、前記共通電極電圧補償信号パラメータと前記共通電極電圧補償信号パラメータの正負極性に基づいて共通電極電圧補償制御信号を生成し、
前記共通電極電圧発生ユニットは、共通電極電圧補償制御信号に基づいて補償電圧波形を有する共通電極入力電圧を生成する共通電極電圧補償装置。
【請求項１１】
共通電極入力電圧の駆動負荷容量を高めるための、共通電極出力電圧を生成する電圧出力保持ユニットを更に有する請求項１０に記載の共通電極電圧補償装置。
【発明の詳細な説明】
【技術分野】
【０００１】
本発明は、液晶表示分野に関し、特に共通電極電圧補償方法、装置及びシーケンスコントローラに関する。
【背景技術】
【０００２】
光電表示技術の日々成熟に伴い、パネル表示装置の応用分野はますます広っている。現在、長寿命、高発光効率、低電磁波、省エネなどの特徴により、液晶ディスプレイは近年の表示装置製品の主流の研究方向になりつつある。そして、液晶ディスプレイは、表示画面の正常な表示を保証するため、画素のグレースケールを表示するときは、共通電極電圧とグレースケール電圧の電圧差を利用し、異なる電圧差を用いて異なるグレースケールを表示する。
【０００３】
しかしながら、発明者は、研究の過程において、従来技術において、液晶分子の極性化を防ぐためにグレースケール電圧は交流の方式によって駆動しなければならず、グレースケール電圧の正負極性が反転するとき、結合作用により、その反転効果は液晶パネル内の共通電極電圧の上下起伏を生じさせ、実際に表示するグレースケールにオフセットが発生し、液晶表示パネルの表示効果に影響することを見いだした。
【発明の概要】
【発明が解決しようとする課題】
【０００４】
本発明の実施例が解決する技術的課題は、共通電極電圧を補償することにより、従来技術におけるグレースケール電圧の正負極性に反転が発生したときに生じる表示画面画素のグレースケールのオフセットの問題を解決し、液晶ディスプレイの表示効果を増強させる共通電極電圧補償方法、装置及びシーケンスコントローラを提供することである。
【課題を解決するための手段】
【０００５】
上記技術的課題を解決するために、本発明の実施例は以下の技術案を採用する。
【０００６】
本発明の一側面によれば、共通電極電圧補償方法であって、
表示画面の各画素のためのグレースケールデータを統計する工程と、
隣接する二行の前記画素の間のグレースケールオフセット率を算出し、前記グレースケールオフセット率に基づいて共通電極電圧補償信号パラメータを取得する工程と、
画素電圧極性反転信号に基づいて前記共通電極電圧補償信号パラメータの正負極性情報を生成する工程と、
前記共通電極電圧補償信号パラメータと前記共通電極電圧補償信号パラメータの正負極性に基づいて共通電極電圧補償制御信号を生成し、共通電極発生ユニットに共通電極電圧補償制御信号に基づいて補償電圧波形を有する共通電極入力電圧を生成させる工程と、を有する共通電極電圧補償方法を提供する。
【０００７】
さらに、隣接する二行の前記画素の間のグレースケールオフセット率を算出する工程は、
各行の前記画素のグレースケールデータを累計して、各行の前記画素のグレースケールデータの和を取得する工程と、
隣接する二行の前記画素のグレースケールデータの和に基づいて、隣接する二行の前記画素のグレースケールオフセット率を算出する工程と、を有する。
【０００８】
さらに、前記隣接する二行の前記画素のグレースケールデータの和に基づいて、隣接する二行の前記画素のグレースケールオフセット率を算出する工程において、
二行ごとの前記画素のグレースケールデータの和の差の最大絶対値Ｎを計算し、ただしＮ＝（２ｎ―１）×ｊであり、ｊは表示画面における前記画素の列数であり、ｎは表示画面における色深度であり、
隣接する二行の前記画素のグレースケールデータの和の差Ａｉ＋１−Ａｉを計算し、ただし、ｉは前記画素の行番号であり、ｉ＝１，２，３，４・・・であり、
ＡｉとＡｉ＋１の正負性が同一か否かを判断し、
両者の正負性が同一である場合は，第ｉ行と第ｉ＋１行の前記画素のグレースケールオフセット率は
【数１】
2014071454.tif 000003
であり、
両者の正負性が異なる場合は、第ｉ行と第ｉ＋１行の前記画素のグレースケールオフセット率は
【数２】
2014071454.tif 000004
である。
【０００９】
さらに、前記画素電圧極性反転信号に基づいて前記共通電極電圧補償信号パラメータの正負極性情報を生成する工程は、
前記画素電圧極性反転信号の波形が上昇傾向の波形である場合は、前記共通電極電圧補償信号パラメータの極性は負である工程と、
前記画素電圧極性反転信号の波形が下落傾向の波形である場合は、前記共通電極電圧補償信号パラメータの極性は正である工程と、を有する。
【００１０】
さらに、前記補償電圧波形は、三角波形、矩形波形、正弦波波形、指数波形のうちのいずれかである。
【００１１】
本発明のもう一つの側面によれば、シーケンスコントローラであって、
表示画面の各画素のためのグレースケールデータを統計するデータプロセッサと、
隣接する二行の前記画素の間のグレースケールオフセット率を算出し、前記グレースケールオフセット率に基づいて共通電極電圧補償信号パラメータを取得し、画素電圧極性反転信号に基づいて共通電極電圧補償信号パラメータの正負極性情報を生成する補償データ計算器と、
前記共通電極電圧補償信号パラメータと前記共通電極電圧補償信号パラメータの正負極性に基づいて共通電極電圧補償制御信号を生成し、共通電極発生ユニットに共通電極電圧補償制御信号に基づいて補償電圧波形を有する共通電極入力電圧を生成させる共通電極電圧補償信号ジェネレータと、を有するシーケンスコントローラを提供する。
【００１２】
さらに、前記補償データ計算器は、
各行の前記画素のグレースケールデータを累計して、各行の前記画素のグレースケールデータの和を取得し、
隣接する二行の前記画素のグレースケールデータの和に基づいて、隣接する二行の前記画素のグレースケールオフセット率を算出する。
【００１３】
さらに、前記補償データ計算器は、
前記画素電圧極性反転信号の波形が上昇傾向の波形である場合は、前記共通電極電圧補償信号パラメータの極性は負であると判定し、
前記画素電圧極性反転信号の波形が下落傾向の波形である場合は、前記共通電極電圧補償信号パラメータの極性は正である判定する。
【００１４】
さらに、前記補償電圧波形は、三角波形、矩形波形、正弦波波形、指数波形のうちのいずれかである。
【００１５】
本発明のもう一つの側面によれば、共通電極電圧補償装置であって、シーケンスコントローラと、共通電極電圧発生ユニットと、を有する。
【００１６】
前記シーケンスコントローラは、表示画面の各画素のためのグレースケールデータを統計し、隣接する二行の前記画素の間のグレースケールオフセット率を算出し、前記グレースケールオフセット率に基づいて共通電極電圧補償信号パラメータを取得し、そして、画素電圧極性反転信号に基づいて共通電極電圧補償信号パラメータの正負極性情報を生成し、そして、前記共通電極電圧補償信号パラメータと前記共通電極電圧補償信号パラメータの正負極性に基づいて共通電極電圧補償制御信号を生成する。
【００１７】
前記共通電極電圧発生ユニットは、共通電極電圧補償制御信号に基づいて補償電圧波形を有する共通電極入力電圧を生成する共通電極電圧補償装置を提供する。
【００１８】
さらに、共通電圧補償装置は、共通電極入力電圧の駆動負荷容量を高めるための、共通電極出力電圧を生成する電圧出力保持ユニットを更に有する。
【００１９】
本発明の実施例の共通電極電圧補償方法、装置及びシーケンスことローラによれば、共通電極補償電圧を計算、生成することにより、表示装置における共通電極電圧とグレースケール電圧の間の電圧差を安定させ、表示画面の画素のグレースケールの正確性を確保し、液晶表示パネルの表示効果を高める。
【図面の簡単な説明】
【００２０】
本発明の実施例又は従来技術における技術案を更に明確に説明するため、以下実施例の記載において必要な図面を簡単に紹介するが、以下の説明における図面は本発明の一部の実施例に過ぎず、当業者が創造的労働を経ることなくこれらの図面から他の図面を得ることができることは明らかである。
【００２１】
【図１】本発明の実施例における共通電極電圧補償方法のフロー図である。
【図２】本発明の実施例における隣接する二行の画素の間のグレースケールオフセット率のフロー図の１である。
【図３】本発明の実施例における隣接する二行の画素の間のグレースケールオフセット率のフロー図の２である。
【図４】本発明の実施例におけるシーケンスコントローラの構造模式図である。
【図５】本発明の実施例における共通電圧補償装置の構造模式図である。
【図６】本発明の実施例における共通電極電圧を補償していないときの波形模式図である。
【図７】本発明の実施例における補償共通電極電圧波形が三角波形であるときの波形模式図である。
【発明を実施するための形態】
【００２２】
本発明の実施例は、共通電極電圧を補償することにより、グレースケールの正負極性に反転が発生したことにより生じる表示画面画素のグレースケールのオフセットの現象を防止する共通電極電圧補償方法、装置及びシーケンスコントローラを提供する。
【００２３】
以下の記載における説明は限定的なものではなく、本発明を詳しく理解できるよう、特定のシステム構造、インターフェイス、技術などの具体的な詳細を提示するものである。そして、当業者にとって明らかなように、具体的な詳細がない他の実施例においても、本発明を実施することができる。他の場合においては、余分な詳細が本発明の記載を妨げないよう、周知の装置、回路及び方法についての詳細な説明を省略する。
【００２４】
本発明は、共通電極電圧補償方法を提供する。図１に示すように、本共通電極電圧補償方法以下の工程を有する。
工程Ｓ１：表示画面の各画素のためのグレースケールデータを統計する
本実施例に係る方法は交流駆動方式を採用する液晶表示装置に適用し、以下においてドット反転駆動方式の液晶表示装置を例に当該方法の原理とプロセスを詳しく説明するが、本発明の方法は行反転駆動方式などの他の交流駆動方式の液晶パネルにも適用できる。
【００２５】
液晶表示装置交流駆動方式の特徴は、表示については、ある時点の表示に使用するグレースケールの電圧と次の時点の表示に使用するグレースケールの電圧の両者の極性が反対である点である。ただし、グレースケール電圧の正負極性はＰＯＬ（Ｐｏｌａｒｉｔｙ  Ｉｎｐｕｔ：画素電圧極性反転信号）によって定まる。ＰＯＬ波形の高さが変化するにつれて、グレースケール電圧の正負極性も反転し変化する。
【００２６】
共通電極出力電圧（ＶＣＯＭ  ＯＵＴ）は液晶パネルに接続されていない（すなわち、無負荷状態）時に、共通電極入力電圧（ＶＣＯＭ  ＩＮ）と共通電極出力電圧（ＶＣＯＭ  ＯＵＴ）は波形が完全に同一であり、電圧出力保持ユニットは、電極電圧信号の負荷容量を高めるために用いられ、波形に影響を与えない。共通電極出力電圧（ＶＣＯＭ  ＯＵＴ）が液晶パネルの中に接続される（すなわち、負荷状態）とき、その波形は図６に示すとおりであり、このうちの横軸は時間を示し、縦軸は電圧値を示し、ＰＯＬは画素電圧の極性反転信号の波形であり、ＶＣＯＭ  ＩＮは共通電極電圧入力波形であり、ＶＣＯＭ  ＯＵＴは共通電極電圧出力波形である。図からわかるように、コンデンサの結合作用が存在するため、ＰＯＬ波形の高さの変化がＶＣＯＭ  ＯＵＴに上下起伏を生じさせ、これにより電圧差にオフセットが発生している。
【００２７】
図７に示すように、本実施例は、補償電圧波形を有する共通電極入力電圧を採用し、ＶＣＯＭ  ＩＮに対して電圧波形の補償を行い、ＶＣＯＭ  ＯＵＴが負荷状態の比較的安定を維持する。
【００２８】
本実施例において、シーケンスコントローラは表示画面の各画素のためのグレースケールデータを統計する。たとえば、表１のデータプロセッサの統計した各画素のグレースケールデータ表である。表１に示すように、グレースケールデータ表には、各画素のグレースケールデータが含まれる。
【表１】
2014071454.tif 000005
【００２９】
工程Ｓ２：隣接する二行の画素の間のグレースケールオフセット率を算出し、グレースケールオフセット率に基づいて共通電極電圧補償信号パラメータを取得する。
シーケンスコントローラの補償データ計算器は、隣接する二行の画素の間のグレースケールオフセット率を算出する。具体的には、図２に示すように、隣接する二行の画素の間のグレースケールオフセット率を算出する工程は以下の工程を有する。
工程Ｓ２１：各行の画素のグレースケールデータを累計して、各行の画素のグレースケールデータの和を取得する
補償データ計算器は一行のうちの各画素のグレースケールデータを累計して、各行の画素のグレースケールデータの和Ａｉを取得する。表１に示すように、ｉは画素の行数であり、Ａｉは第ｉ行の画素のグレースケールデータの和である。たとえば、第１行のグレースケールデータ「＋１２７、−３２、＋９６、−４５、＋２５５、−６４、＋７７、−１２」の和Ａ１は＋４０２である。
【００３０】
工程Ｓ２２：隣接する二行の画素のグレースケールデータの和に基づいて、隣接する二行の画素のグレースケールオフセット率を算出する。
【００３１】
補償データ計算器は、隣接する二行の画素のグレースケールデータの和に基づいて、隣接する二行の画素のグレースケールオフセット率を算出する。たとえば、Ｂｉ＋１は第ｉ行と第ｉ＋１行の画素の行グレースケールオフセット率であり、ＡｉとＡｉ＋１に基づいて算出される。具体的には、図３に示すように、当該工程Ｓ２２は以下の工程を有する。
工程Ｓ２２１：二行ごとの画素のグレースケールデータの和の差の最大絶対値Ｎを計算し、ただしＮ＝（２ｎ―１）×ｊであり、ｊは表示画面における前記画素の列数であり、ｎは表示画面における色深度である
たとえば、表示装置の色深度ｎ＝８、列数ｊ＝８のとき、補償データ計算機はＮ＝２０４０を算出する。
【００３２】
工程Ｓ２２２：隣接する二行の画素のグレースケールデータの和の差Ａｉ＋１−Ａｉを計算し、ただし、ｉは画素の行番号であり、ｉ＝１，２，３，４・・・である
補償データ計算器は隣接する二行の画素のグレースケールデータの和に基づいて隣接する二行の画素のグレースケールデータの和の差を計算する。表１に示すように、Ａ２−Ａ１＝１３３−（＋４０２）＝−５３５となる。
【００３３】
工程Ｓ２２３：ＡｉとＡｉ＋１の正負性を判断し、両者の正負性が同一である場合は工程Ｓ２２４を実行し、両者の正負性が異なる場合は、工程Ｓ２２５を実行する。
補償データ計算機は、隣接する二行の画素のグレースケールデータの和の正負性が同一か否かを判断する。たとえば、図１に示すように、Ａ２は負であり、Ａ３も負であり、両者の正負性が同一である場合は工程Ｓ２２４を実行し、Ａ１は正であり、Ａ２は負であり、両者の正負性が異なる場合は工程Ｓ２２５を実行する。
【００３４】
工程Ｓ２２４：第ｉ行と第ｉ＋１行の画素のグレースケールオフセット率
【数３】
2014071454.tif 000006
を計算し、ただし、ｉは画素の行数であり、Ａｉは第ｉ行の画素のグレースケールデータの和であり、Ａｉ＋１は第ｉ＋１行の画素のグレースケールデータの和であり、Ｎは二行ごとの画素のグレースケールデータの和の差の最大絶対値であり、Ｂｉ＋１は第ｉ行と第ｉ＋１行の画素の行グレースケールオフセット率である。
補償データ計算器は、隣接する二行の画素のグレースケールデータの和に基づいて隣接する二行の画素のグレースケールオフセット率を計算する。たとえば、表１に示すように、Ａ２は負であり、Ａ３も負であるため、両者の正負性は同一であり、
【数４】
2014071454.tif 000007
となる。本発明の一の具体的な実施形態として、算出されたＢｉ＋１を四捨五入して、小数点の後一つの位まで保留する。また、グレースケールオフセット率は、アルゴリズムの正確性を高めるため、もっと多くの位まで保留してもよい。
【００３５】
工程Ｓ２２５：第ｉ行と第ｉ＋１行の画素のグレースケールオフセット率
【数５】
2014071454.tif 000008
を計算し、ただし、ｉは画素の行数であり、Ａｉは第ｉ行の画素のグレースケールデータの和であり、Ａｉ＋１は第ｉ＋１行の画素のグレースケールデータの和であり、Ｎは二行ごとの画素のグレースケールデータの和の差の最大絶対値であり、Ｂｉ＋１は第ｉ行と第ｉ＋１行の画素の行グレースケールオフセット率である
補償データ計算器は、隣接する二行の画素のグレースケールデータの和に基づいて隣接する二行の画素のグレースケールオフセット率を計算する。たとえば、表１に示すように、Ａ１は正であり、Ａ２は負であるため、両者の正負性は異なり、
【数６】
2014071454.tif 000009
となる。本発明の一の具体的な実施形態として、算出されたＢｉ＋１を四捨五入して、小数点の後一つの位まで保留する。また、グレースケールオフセット率は、アルゴリズムの正確性を高めるため、もっと多くの位まで保留してもよい。
【００３６】
シーケンスコントローラの補償データ計算器は、グレースケールオフセット率に基づいて共通電極電圧補償信号パラメータを取得する。具体的には、図６に示すように、シーケンスコントローラが、補償信号を含まない場合のＶＣＯＭ  ＯＵＴ起伏の波形を統計して量子化分析し、ＶＣＯＭ  ＯＵＴ波形のピーク値及びＶＣＯＭ  ＯＵＴ起伏の持続時間を取得し、一セットのパラメータ値を構成する。そしてシーケンスコントローラは、ＶＣＯＭ  ＯＵＴ起伏を引き起こしたジャンプグレースケール電圧に基づいてグジャンプレースケール電圧の時点のグレースケールオフセット率を計算する。シーケンスコントローラは、パラメータ値及びグレースケールオフセット率を統計し、パラメータ値とグレースケールオフセット率の両者間の対応関係を確立し、検索表（ＬＵＴ）を生成し、表２に示すように、Ｂｉ＋１はグレースケールオフセット率であり、Ｘ，ＹはＶＣＯＭ  ＯＵＴ波形信号を量子化分析し取得した一セットのパラメータ値である。
【表２】
2014071454.tif 000010
【００３７】
そして、補償データ計算器は、グレースケールオフセット率のデータ値を受け付け、参考表２におけるパラメータ値とグレースケールオフセット率の両者間の対応関係に基づいてＶＣＯＭ  ＩＮ補償信号のパラメータＸ，Ｙを取得する。図７に示すように、ＹはＶＣＯＭ  ＩＮにおける補償信号波形のピーク値であり、ＸはＶＣＯＭ  ＩＮにおける補償信号波形の持続時間である。
【００３８】
工程Ｓ３：画素電圧極性反転信号に基づいて共通電極電圧補償信号パラメータの正負極性情報を生成する
シーケンスコントローラの補償データ計算器は画素電圧極性反転信号に基づいて共通電極電圧補償信号パラメータの正負極性情報を生成する。本発明の実施例において、ＰＯＬの変化はグレースケール電圧の正負極性を反転させ、ＶＣＯＭ  ＯＵＴの起伏を引き起こす。負荷状態におけるＶＣＯＭ  ＯＵＴ波形の比較的安定を維持するために、補償電圧の波形方向はＶＣＯＭ  ＯＵＴ起伏方向と反対であるべきである。そしてＶＣＯＭ  ＯＵＴ起伏方向は、画素電圧極性反転信号の波形によって定まる。
【００３９】
さらに、画素電圧極性反転信号に基づいて共通電極電圧補償信号パラメータの正負極性情報を生成する工程は、
画素電圧極性反転信号の波形が上昇傾向の波形である場合は、共通電極電圧補償信号パラメータの極性は負である工程と、画素電圧極性反転信号の波形が下落傾向の波形である場合は、共通電極電圧補償信号パラメータの極性は正である工程と、を有する。
【００４０】
具体的には、図７に示すように、液晶装置が第１行と第２行を表示するとき、ＰＯＬに上昇傾向の変化が発生し、グレースケール電圧を負極から正極にジャンプさせ、このときＶＣＯＭ  ＯＵＴは正方向の起伏が発生するため、Ｙを負極性に設定し、ＶＣＯＭ  ＯＵＴ波形の比較的安定を維持するために、補償電圧の波形方向は負方向でなければならず、同様に、ＰＯＬが下落傾向であるとき、ＶＣＯＭ  ＯＵＴは負方向の起伏が発生するため、補償電圧の波形方向は正方向でなければならず、すなわちパラメータＹを正極性に設定しなければならない。
【００４１】
さらに、補償電圧波形は三角波形、矩形波形、正弦波波形、指数波形のうちのいずれかである。
【００４２】
本発明の一の具体的な実施形態として、図７に示すように、共通電極電圧補償信号パラメータＸ、Ｙ及び共通電極電圧補償信号パラメータＹの正負極性はＶＣＯＭ  ＩＮ補償電圧の波形の確定に用いられる。共通電極電圧発生ユニットが生成した補償電圧波形が三角波形の場合、Ｘは三角波形の底辺の長さであり、Ｙは三角波形の高さであり、Ｙの正負は三角波形の方向を定める。また、説明しておくべきこととして、補償電圧波形は矩形波形、正弦波波形または指数波形などの一般的に用いられる電圧波形であってもよく、波形パラメータの設定も実際の必要に応じて適宜調整することができ、波形とパラメータは限定されない。
【００４３】
工程Ｓ４：共通電極電圧補償信号パラメータと共通電極電圧補償信号パラメータの正負極性に基づいて共通電極電圧補償制御信号を生成し、共通電極発生ユニットに共通電極電圧補償制御信号に基づいて補償電圧波形を有する共通電極入力電圧を生成させる。
【００４４】
共通電極電圧補償制御信号ジェネレータは共通電極電圧補償信号パラメータ及び共通電極電圧補償信号パラメータの正負極性を受け付け、上記情報を共通電極電圧発生ユニットにより識別されうる共通電極電圧信号に梱包する。共通電極電圧発生ユニットは共通電極電圧補償制御信号によって補償信号の有する共通電極電圧を生成できる。
【００４５】
本発明の実施例に係る共通電極電圧補償方法は、共通電極補償電圧を計算し生成することにより、表示装置における共通電極電圧とグレースケール電圧の間の電圧差を安定させ、表示画面の画素のグレースケールの正確性を確保し、液晶表示パネルの表示効果を高める。
【００４６】
本発明の実施例において、各工程の具体的な実施形態、特に補償電圧波形及び共通電極電圧補償信号パラメータの記載は、例示的な説明に過ぎず、技術案に対する制限ではなく、当業者にとって明らかなように、実際の応用においては、実際の必要に応じて設定と選択をしてもよく、すなわち補償電圧波形及び共通電位極電圧補償信号パラメータのために異なる生成方式を提供することにより上記記載の全部または一部機能を実現できる。上記に記載した生成方式、方法の具体的なプロセスは、前記方法の実施例における対応するプロセスを参照できるため、ここでは説明せず、本実施例において列挙された状況は好ましい状況にすぎない。
【００４７】
本発明の実施例は、さらに、シーケンスコントローラであって、図４に示すように、
表示画面の各画素のためのグレースケールデータを統計するデータプロセッサ１１と、
隣接する二行の画素の間のグレースケールオフセット率を算出し、グレースケールオフセット率に基づいて共通電極電圧補償信号パラメータを取得し、画素電圧極性反転信号に基づいて共通電極電圧補償信号パラメータの正負極性情報を生成する補償データ計算器１２と、
共通電極電圧補償信号パラメータと共通電極電圧補償信号パラメータの正負極性に基づいて共通電極電圧補償制御信号を生成し、共通電極発生ユニットに共通電極電圧補償制御信号に基づいて補償電圧波形を有する共通電極入力電圧を生成させる共通電極電圧補償信号ジェネレータ１３と、を有するシーケンスコントローラを提供する。
【００４８】
具体的には、データプロセッサ１１は具体的に、
各行の画素のグレースケールデータを累計して、各行の画素のグレースケールデータの和を取得し、
隣接する二行の前記画素のグレースケールデータの和に基づいて、隣接する二行の画素のグレースケールオフセット率を算出する。
【００４９】
さらに、補償電圧波形は三角波形、矩形波形、正弦波波形、指数波形のうちのいずれかである。
【００５０】
なお、シーケンスコントローラの動作原理は上記の実施例と同一であるため、ここでは説明しない。
【００５１】
本発明の実施例のシーケンスコントローラは、データプロセッサと、補償データ計算器と、共通電極電圧補償信号ジェネレータと、を設置し、共通電極補償電圧を計算し生成することにより、表示装置における共通電極電圧とグレースケール電圧の間の電圧差を安定させ、表示画面の画素のグレースケールの正確性を確保し、液晶表示パネルの表示効果を高める。
【００５２】
また、本実施例は、さらに、共通電極電圧補償装置であって、図５に示すように、シーケンスコントローラと、共通電極電圧発生ユニットと、を有する共通電極電圧補償装置を提供する。
【００５３】
シーケンスコントローラ１は、表示画面の各画素のためのグレースケールデータを統計し、隣接する二行の画素の間のグレースケールオフセット率を算出し、グレースケールオフセット率に基づいて共通電極電圧補償信号パラメータを取得し、画素電圧極性反転信号に基づいて共通電極電圧補償信号パラメータの正負極性情報を生成し、そして、共通電極電圧補償信号パラメータと共通電極電圧補償信号パラメータの正負極性に基づいて共通電極電圧補償制御信号を生成する。
【００５４】
共通電極電圧発生ユニット２は、共通電極電圧補償制御信号に基づいて補償電圧波形を有する共通電極入力電圧を生成する。
【００５５】
具体的には、共通電極電圧補償装置は、さらに、電圧出力保持ユニット３を有する。電圧出力保持ユニット３は、共通電極入力電圧の駆動負荷容量を高めるために用いられ、共通電極出力電圧を生成する。
【００５６】
なお、共通電極電圧補償装置の動作原理は上記の実施例と同一であるため、ここでは説明しない。また、共通電極電圧補償装置のほかの部分構造は従来技術を参照できるため、本文では詳しく記載しないこととする。
【００５７】
本発明の実施例に一の共通電極電圧補償装置は、シーケンスコントローラと、共通電極電圧発生ユニットと、電圧出力保持ユニットと、を設置し、共通電極補償電圧を生成することにより、表示装置における共通電極電圧とグレースケール電圧の間の電圧差を安定させ、表示画面の画素のグレースケールの正確性を確保し、液晶表示パネルの表示効果を高める。
【００５８】
以上の記載は、本発明の具体的な実施形態に過ぎず、本発明の保護範囲はこれに限定されず、当業者が本発明の開示する技術的範囲内で容易に想到できるいかなる変化や置換はいずれも本発明の保護範囲に含まれるものとする。したがって、本発明の保護範囲は、特許請求の範囲に記載される保護範囲を基準とする。
【図１】
2014071454.tif 000013
【図２】
2014071454.tif 000014
【図３】
2014071454.tif 000015
【図４】
2014071454.tif 000016
【図５】
2014071454.tif 000017
【図６】
2014071454.tif 000018
【図７】
2014071454.tif 000019